(57)【要約】本発明の目的は、円周方向変調度と放射線方向変調度が著しく異なる普及価格のレンズの変調度を補正する撮像装置を実現し、普及価格のＵＨＤＴＶを製品化することである。3つの波長で色収差が補正され、2つの波長で球面収差・コマ収差が補正されているアッベが命名したアポクロマートレンズに残存する非点収差の補正。１６：９等と横長アスペクト比のＵＨＤＴＶで、垂直輪郭補正の中心周波数と水平郭補正の中心周波数とを、画素の画面中心からの距離に比例と距離の２乗に比例と距離の４乗に比例と距離の６乗に比例と距離の８乗に比例とで垂直輪郭（変調度）補正量と水平輪郭（変調度）補正量を個別に周波数ごとに算出し補正する。
2016031763.tif 000002
【特許請求の範囲】
【請求項１】
ワイドアスペクトの高解像度撮像装置において、多周波数強調の水平輪郭補正と垂直輪郭補正または多周波数強調の水平アパーチャ（変調度）補正と垂直アパーチャ（変調度）補正を用い、３つの波長で色収差が補正され２つの波長で球面収差・コマ収差が補正されているレンズを用い、前記レンズの品種情報と焦点距離情報と口径比情報とを取得し、前記レンズの円周方向変調度情報と放射線方向変調度とを取得し記憶し、前記取得したレンズ品種情報と焦点距離情報と口径比情報と前記記憶した円周方向変調度情報と放射線方向変調度とから、（レンズの非点収差による円周方向変調度と放射線方向変調度に対応して）画面中心からの距離に比例と画素の画面中心からの距離の２乗に比例と画素の画面中心からの距離の４乗に比例と画素の画面中心からの距離の６乗に比例と画素の画面中心からの距離の８乗に比例とで垂直輪郭（変調度）補正量と水平輪郭（変調度）補正量とを個別に周波数ごとに算出し、垂直輪郭（変調度）補正と水平輪郭（変調度）補正を個別に行うこと、前記レンズがズームレンズの広角では左右端付近を中心に水平輪郭（変調度）補正周波数の中心を低くすることと、前記レンズがズームレンズの望遠では画面中心から左右に離れるに従い垂直輪郭（変調度）補正周波数の中心を低くすることと、前記レンズが単焦点レンズやズームレンズの中間焦点距離では単焦点レンズやズームレンズの中間焦点距離の非点収差による円周方向変調度と放射線方向変調度に対応して画面中心から左右に離れるに従い、垂直輪郭（変調度）補正周波数の中心又は水平輪郭（変調度）補正周波数の中心のどちらか一方を低くすることと、前記レンズの円周方向変調度と放射線方向変調度に対応して画面中心から左右に離れるに従い、垂直輪郭（変調度）補正周波数の中心と水平輪郭（変調度）補正周波数の中心を異ならせることと、の少なくとも一つを行うことを特徴とする撮像方法。
【請求項２】
ワイドアスペクトの撮像装置において、多周波数強調の水平輪郭補正と垂直輪郭補正または多周波数強調の水平アパーチャ（変調度）補正と垂直アパーチャ（変調度）補正を有し、３つの波長で色収差が補正され２つの波長で球面収差・コマ収差が補正されている（アッベが命名したアポクロマート）レンズを有し、前記レンズの品種情報と焦点距離情報と口径比情報とを取得する手段と、前記レンズの焦点距離と口径比とに対応した円周方向変調度情報と放射線方向変調度情報とを取得し記憶する手段（ＣＰＵ６とＣＰＵ６内蔵または外付けの記憶部）と、前記取得したレンズ品種情報と焦点距離情報と口径比情報と前記記憶した円周方向変調度情報と放射線方向変調度とから、（レンズの非点収差による円周方向変調度と放射線方向変調度に対応して）前記作成した輪郭（変調度）補正制御の関係情報と水平同期信号と画素クロック（による水平画素カウンタからの水平画素番号）から、映像信号に対応する画素の画面中心からの距離（水平画素数をＨとし水平画素番号をｈとしてｈ−Ｈ／２）に比例と画素の画面中心からの距離の２乗に比例と画素の画面中心からの距離の４乗に比例と画素の画面中心からの距離の６乗に比例と画素の画面中心からの距離の８乗に比例等の画面位置に対応して垂直輪郭（変調度）補正量を垂直周波数（0Ｈから7Ｈの輪郭）ごとと水平輪郭（変調度）補正量を水平周波数（0ｄから7ｄの輪郭）ごとに個別に算出する手段（水平画素カウンタ含む画面位置制御部５）と、水平同期信号と画素クロックとから映像信号の画面位置のタイミングを検出する手段（水平画素カウンタ含む画面位置制御部）とを有し、前記生成した画面位置と輪郭（変調度）補正制御の関係情報と前記検出した映像信号の画面位置のタイミングとから垂直輪郭（変調度）補正を垂直周波数（0Ｈから7Ｈの輪郭）ごとと水平輪郭（変調度）補正を水平周波数（0ｄから7ｄの輪郭）ごととに個別に行う手段と、前記レンズがズームレンズの広角では左右端付近を中心に水平輪郭（変調度）補正周波数の中心を低くする手段と、前記生成した画面位置と輪郭（変調度）補正制御の関係情報と前記検出した映像信号の画面位置のタイミングとから前記レンズがズームレンズの広角では左右端付近を中心に水平輪郭（変調度）補正周波数の中心を低くする手段と、前記レンズがズームレンズの望遠では画面中心から左右に離れるに従い垂直輪郭（変調度）補正周波数の中心を低くする手段と、前記レンズが単焦点レンズやズームレンズの中間焦点距離では単焦点レンズやズームレンズの中間焦点距離の非点収差による円周方向変調度と放射線方向変調度に対応して画面中心から左右に離れるに従い、垂直輪郭（変調度）補正周波数の中心又は水平輪郭（変調度）強調周波数の中心のどちらか一方を低く手段と、前記レンズの円周方向変調度と放射線方向変調度に対応して画面中心から左右に離れるに従い、垂直輪郭（変調度）補正周波数の中心と水平輪郭（変調度）補正周波数の中心を異ならせる手段と、の少なくとも一つを有することを特徴とする撮像装置。
【請求項３】
撮像装置において、右上斜め輪郭補正と左上斜め輪郭補正または右上斜めアパーチャ（変調度）補正と左上斜めアパーチャ（変調度）補正を有し、３つの波長で色収差が補正され２つの波長で球面収差・コマ収差が補正されているレンズを有し、前記レンズの品種情報と焦点距離情報と口径比情報とを取得する手段と、前記レンズの焦点距離と口径比とに対応した円周方向変調度情報と放射線方向変調度情報とを取得し記憶する手段と、前記取得したレンズ品種情報と焦点距離情報と口径比情報と前記記憶した円周方向変調度情報と放射線方向変調度とから、前記作成した輪郭（変調度）補正制御の関係情報と垂直同期信号と水平同期信号と画素クロック（による走査線と水平画素カウンタからの走査線番号と水平画素番号）から、映像信号に対応する画素の画面中心からの距離（走査線数をＶとし水平画素番号をｖとしてｖ−Ｖ／２と水平画素数をＨとし水平画素番号をｈとしてｈ−Ｈ／２）に比例と画素の画面中心からの距離の２乗に比例と画素の画面中心からの距離の４乗に比例と画素の画面中心からの距離の６乗に比例と画素の画面中心からの距離の８乗に比例等の画面位置に対応して右上斜め輪郭（変調度）補正量と左上斜め輪郭（変調度）補正量を斜め周波数ごとに個別に算出する手段と、水平同期信号と画素クロックとから映像信号の画面位置のタイミングを検出する手段を有し、前記生成した画面位置と輪郭（変調度）補正制御の関係情報と前記検出した映像信号の画面位置のタイミングとから右上斜め輪郭（変調度）補正量と左上斜め輪郭（変調度）補正量を斜め周波数ごとに個別に行う手段とを有することを特徴とする撮像装置。
【請求項４】
レンズを用いるワイドアスペクトの撮像装置において、多周波数強調の水平輪郭補正と垂直輪郭補正または多周波数強調の水平アパーチャ（変調度）補正と垂直アパーチャ（変調度）補正を用い、前記レンズの品種情報と焦点距離情報と口径比情報とを取得し、前記レンズの円周方向変調度情報と放射線方向変調度とを取得し記憶し、前記取得したレンズ品種情報と焦点距離情報と口径比情報と前記記憶した円周方向変調度情報と放射線方向変調度とから、画素の画面中心からの距離に比例と画素の画面中心からの距離の２乗に比例と画素の画面中心からの画素の画面中心からの距離の４乗に比例と画素の画面中心からの距離の６乗に比例と画素の画面中心からの距離の８乗に比例等の画面位置に対応して垂直輪郭（変調度）補正量と水平輪郭（変調度）補正量とを個別に周波数ごとに算出し、垂直輪郭（変調度）補正と水平輪郭（変調度）補正を個別に行うことを特徴とする撮像方法。
【請求項５】
３つの波長で色収差が補正され２つの波長で球面収差・コマ収差が補正されているレンズを用いる（ワイドアスペクトの）撮像装置において、多周波数強調の水平輪郭補正と垂直輪郭補正または多周波数強調の水平アパーチャ（変調度）補正と垂直アパーチャ（変調度）補正を用い、前記レンズの品種情報と焦点距離情報と口径比情報とを取得し、前記レンズの円周方向変調度情報と放射線方向変調度とを取得し記憶し、前記取得したレンズ品種情報と焦点距離情報と口径比情報と前記記憶した円周方向変調度情報と放射線方向変調度とから、レンズの非点収差による円周方向変調度と放射線方向変調度に対応して比例と画素の画面中心からの距離の２乗に比例と画素の画面中心からの４乗に比例と画素の画面中心からの距離の６乗に比例と画素の画面中心からの距離の８乗に比例等の画面位置に対応して垂直輪郭（変調度）補正量と水平輪郭（変調度）補正量とを個別に周波数ごとに算出し、垂直輪郭（変調度）補正と水平輪郭（変調度）補正を個別に行うことを特徴とする撮像方法。 
【発明の詳細な説明】
【技術分野】
【０００１】
固体撮像素子を用いた撮像装置及び撮像方法の改良に関するものである。
【背景技術】
【０００２】
ＣＣＤ（Charge  Coupled  Device）撮像素子から出力された信号から雑音を除去するＣＤＳ（Correlated  Double  Sampling）と暗電流補正と利得可変増幅回路（Automatic   Gain  Control以下ＡＧＣ）とデジタル映像信号Ｖｉに変換するＡＤＣ（Analog  Digital  Converter）とを内蔵したＡＦＥ（Analog  Front  End）が普及し、ＡＦＥのＡＤＣ階調は従来１０ビットだったが、１２ビットや１４ビットが一般化した。さらに駆動回路や読み出し回路を統合し高速読み出しを可能にしたＣＭＯＳ（Complementary  Metal  Oxicide  Semiconductor）撮像素子の改良も進んできた。
さらにデジタル信号処理回路の集積化が進み、複数ラインの出力信号を記憶し算術処理することが、映像専用のメモリ集積ＤＳＰだけでなく、安価な汎用のＦＰＧＡ(Field Programmable Gate Array)でも容易に実現できる様になった。画素数が百万以上のメガピクセルカメラやＨＤＴＶ（High  Definition  TeleVision）カメラや高速撮像ＨＤＴＶカメラや記録部付ＨＤＴＶカメラやInternet  Protocol（以下ＩＰ）伝送部付ＨＤＴＶカメラやより高精細の２Ｋ×４Ｋカメラや４Ｋ×８ＫカメラのＵＨＤＴＶ（Ultra  High  Definition  TeleVision）やＨＤＤ（Hard  Disk  Drive）を用いた非圧縮の記録装置も製品化された。平面映像表示装置も、より高精細の２Ｋ×４Ｋや４Ｋ×８ＫのＵＨＤＴＶ表示や高速表示や超薄型化が進んできた。【０００３】
レンズの屈折率は光の波長によって異なるため、焦点距離も光の波長によって異なり、レンズの焦点距離が波長によって違うために色によって像面の位置が前後にずれる軸上色収差と、色によって像の倍率が異なり像の大きさが異なる倍率色収差が生じる。【０００４】
また、入射点の光軸からの距離によって集光点の光軸方向の位置が変わる球面収差により画面全体の変調度が低下する。光軸外の1点から出た光が像面において1点に集束しないコマ収差により画面周辺の変調度が低下する。さらに、光軸外の1点から出た光線による同心円方向の像点と放射線方向の像点とがずれる非点収差により画面周辺の変調度が低下する。【０００５】
球面収差はNAの3乗に比例し、視野の広さとは無関係で、画面中心でも現れる唯一の収差であり、凹レンズの屈折率が凸レンズよりも高いと２枚構成のレンズダブレットとは単レンズより１桁以上球面収差が減少する。また、コマ収差は、口径比Ｆの逆数の開口比ＮＡの2乗と視野の広さの1乗に比例する。また、非点収差は、NAの1乗と視野の広さの2乗に比例し、画面の周辺で特に非点収差により変調度が低下する。  【０００６】
レンズで集めた光が1点に集まらない現象が収差で，その中の球面収差とコマ収差を補正したのがアプラナート，さらに，光の波長の違いによる焦点位置のズレを，赤のＣ線（656.3nm）ならびに青のF線（486.1nm）の２ヶ所で補正したのが色消しレンズのアクロマートと呼ばれる。さらに紫のｇ線（435.8nm）を加え、３つの波長で色収差が補正され、２つの波長で球面収差・コマ収差が補正されている等の条件を満たすものをアポクロマートとアッベが命名した。非点収差も補正した円周方向変調度と放射線方向変調度の両方維持のレンズは、大型で高価すぎる。
球面収差が補正不足でアプラナートですらなく、画面中心でも変調度が低下するレンズはＵＨＤＴＶには性能不足である。（コマ収差が補正不足で円周方向変調度と放射線方向変調度の両方が低下のレンズは、実施例２として、円周方向変調度と放射線方向変調度とを個別に可変しないとＵＨＤＴＶには性能不足である。）。
ところで、単焦点レンズのDX標準マクロの１例は、ズームレンズの広角同様。また、単焦点レンズのDX標準の１例は、ズームレンズの望遠と逆。また、単焦点レンズのFX中望遠の１例は、ズームレンズの広角と逆。と収差補正方法の違いで残存収差は異なる。【０００７】
ところで、レンズと撮像素子と輪郭補正機能を含めた映像信号処理回路とを有する撮像装置において、ラインメモリを８本以上有し、整数水平周期分遅らせた複数の各映像信号から垂直輪郭補正信号を発生し、画素遅延機能を８ヶ以上有し、整数画素分遅らせた複数の各映像信号から水平輪郭補正信号を発生し、確認時には、映像信号に前記垂直輪郭補正信号と前記水平輪郭補正信号とを加算していた（特許文献１参照）。【０００８】
また、画像処理による歪曲収差補正を行った画像には、同心円方向のみアパーチャ補正処理乃至エッジ強調処理の画像鮮鋭化処理を行い、放射線方向は画像鮮鋭化処理を行わない撮像装置もある（特許文献２参照）。
【先行技術文献】
【特許文献】
【０００９】
【特許文献１】特願2013-008260(本願出願人の公開前の特許出願)
【特許文献２】特開2014-53700
【発明の概要】
【発明が解決しようとする課題】
【００１０】
本発明の目的は、円周方向変調度と放射線方向変調度が著しく異なるレンズの変調度を補正する撮像装置を実現することである。例えば、汎用の低価格のレンズにおいては、視野の広さとは無関係の球面収差と視野の広さの1乗に比例のコマ収差と色収差とを十分補正されているレンズのアッベが命名したアポクロマートでも、視野の広さの2乗に比例の非点収差は補正不足で、円周方向変調度と放射線方向変調度が著しく異なるので、より高解像度である４Ｋや８Ｋといったカメラに低価格のレンズの変調度を補正することで、レンズを含むカメラ全体の低価格化を実現する撮像装置とすることである。
【課題を解決するための手段】
【００１１】
上記課題を達成するため、本発明では、（１６：９や２：１等の）ワイドアスペクトの（１Ｋ、２Ｋ、４Ｋ、８Ｋ等のＨＤ以上テレビカメラ等の）高解像度撮像装置において、多周波数強調の水平輪郭補正と垂直輪郭補正または多周波数強調の水平アパーチャ（変調度）補正と垂直アパーチャ（変調度）補正を用い、３つの波長で色収差が補正され２つの波長で球面収差・コマ収差が補正されている（アッベが命名したアポクロマート）レンズを用い、前記レンズの品種情報と焦点距離情報と口径比情報とを取得し、前記レンズの（焦点距離と口径比とに対応した）円周方向変調度情報と放射線方向変調度とを取得し記憶し、前記取得したレンズ品種情報と焦点距離情報と口径比情報と前記記憶した円周方向変調度情報と放射線方向変調度とから、（レンズの非点収差による円周方向変調度と放射線方向変調度に対応して）画面中心からの距離に比例と画素の画面中心からの距離の２乗に比例と画素の画面中心からの４乗に比例と画素の画面中心からの距離の６乗に比例と画素の画面中心からの距離の８乗に比例とでとで垂直輪郭（変調度）補正量と水平輪郭（変調度）補正量とを個別に周波数ごとに算出し、垂直輪郭（変調度）補正と水平輪郭（変調度）補正を個別に行うこと、前記レンズがズームレンズの広角では左右端付近を中心に水平輪郭（変調度）補正周波数の中心を低くすることと、前記レンズがズームレンズの望遠では画面中心から左右に離れるに従い垂直輪郭（変調度）補正周波数の中心を低くすることと、前記レンズが単焦点レンズやズームレンズの中間焦点距離では単焦点レンズやズームレンズの中間焦点距離の非点収差による円周方向変調度と放射線方向変調度に対応して画面中心から左右に離れるに従い、垂直輪郭（変調度）補正周波数の中心又は水平輪郭（変調度）補正周波数の中心のどちらか一方を低くすることと、前記レンズの円周方向変調度と放射線方向変調度に対応して画面中心から左右に離れるに従い、垂直輪郭（変調度）補正周波数の中心と水平輪郭（変調度）補正周波数の中心を異ならせることと、の少なくとも一つを行うことを特徴とする撮像方法である。【００１２】
または、上記課題を達成するため本発明では、（１６：９や２：１等の）ワイドアスペクトの（１Ｋ、２Ｋ、４Ｋ、８Ｋ等のＨＤ以上テレビカメラ等の高解像度）撮像装置において、多周波数強調の水平輪郭補正と垂直輪郭補正または多周波数強調の水平アパーチャ（変調度）補正と垂直アパーチャ（変調度）補正を有し、３つの波長で色収差が補正され２つの波長で球面収差・コマ収差が補正されている（アッベが命名したアポクロマート）レンズを有し、前記レンズの品種情報と焦点距離情報と口径比情報とを取得する手段と、前記レンズの焦点距離と口径比とに対応した円周方向変調度情報と放射線方向変調度情報とを取得し記憶する手段（ＣＰＵ６とＣＰＵ６内蔵または外付けの記憶部）と、前記取得したレンズ品種情報と焦点距離情報と口径比情報と前記記憶した円周方向変調度情報と放射線方向変調度とから、（レンズの非点収差による円周方向変調度と放射線方向変調度に対応して）前記作成した輪郭（変調度）補正制御の関係情報と水平同期信号と画素クロック（による水平画素カウンタからの水平画素番号）から、映像信号に対応する画素の画面中心からの距離（水平画素数をＨとし水平画素番号をｈとしてｈ−Ｈ／２）に比例と画素の画面中心からの距離の２乗に比例と画素の画面中心からの距離の４乗に比例と画素の画面中心からの距離の６乗に比例と画素の画面中心からの距離の８乗に比例等の画面位置に対応して垂直輪郭（変調度）補正量を垂直周波数（0Ｈから7Ｈの輪郭）ごとと水平輪郭（変調度）補正量を水平周波数（0ｄから7ｄの輪郭）ごとに個別に算出する手段（水平画素カウンタ含む画面位置制御部５）と、水平同期信号と画素クロックとから映像信号の画面位置のタイミングを検出する手段（水平画素カウンタ含む画面位置制御部）とを有し、前記生成した画面位置と輪郭（変調度）補正制御の関係情報と前記検出した映像信号の画面位置のタイミングとから垂直輪郭（変調度）補正を垂直周波数（0Ｈから7Ｈの輪郭）ごとと水平輪郭（変調度）補正を水平周波数（0ｄから7ｄの輪郭）ごととに個別に行う手段（図１Ａのラインメモリ部及び図１Ｂの画素遅延部又は図１Ｃ図１Ｄのフレームメモリ並びに図１Ａ図１Ｂ図１Ｃ図１Ｄの減算器（負の加算器）のＮ０〜Ｎ３及びＮ５〜Ｎ８及びＮ１０〜Ｎ１３及びＮ１５〜Ｎ１８及び加算器のＰ４及びＰ１４）と、前記レンズがズームレンズの広角では左右端付近を中心に水平輪郭（変調度）補正周波数の中心を低くする手段（の図１Ａ図１Ｂ図１Ｃ図１ＤのＣＰＵ６及び水平画素カウンタ含む画面位置制御部５）と、前記レンズがズームレンズの望遠では画面中心から左右に離れるに従い垂直輪郭（変調度）補正周波数の中心を低くする手段（の図１Ａ図１Ｂ図１Ｃ図１ＤのＣＰＵ６及び水平画素カウンタ含む画面位置制御部５）と、前記レンズが単焦点レンズやズームレンズの中間焦点距離では単焦点レンズやズームレンズの中間焦点距離の非点収差による円周方向変調度と放射線方向変調度に対応して画面中心から左右に離れるに従い、垂直輪郭（変調度）補正周波数の中心又は水平輪郭（変調度）強調周波数の中心のどちらか一方を低く手段（の図１Ａ図１Ｂ図１Ｃ図１ＤのＣＰＵ６及び水平画素カウンタ含む画面位置制御部５）と、前記レ���ズの円周方向変調度と放射線方向変調度に対応して画面中心から左右に離れるに従い、垂直輪郭（変調度）補正周波数の中心と水平輪郭（変調度）補正周波数の中心を異ならせる手段（の図１Ａ図１Ｂ図１Ｃ図１ＤのＣＰＵ６及び水平画素カウンタ含む画面位置制御部５）と、の少なくとも一つを有することを特徴とする撮像装置である。なお、減算器やラインメモリ部や画素遅延部の個数は、７ヶ以上又は４ケもしくは６ケが好ましい。【００１３】
または、上記課題を達成するため本発明では、（４：３や３：２等の正方形に近いアスペクトの）（１Ｋ、２Ｋ、４Ｋ、８Ｋ等のＨＤ以上テレビカメラ等の高解像度）撮像装置において、（図１Ｄの）右上斜め輪郭補正と左上斜め輪郭補正または右上斜めアパーチャ（変調度）補正と左上斜めアパーチャ（変調度）補正を有し、３つの波長で色収差が補正され２つの波長で球面収差・コマ収差が補正されている（アッベが命名したアポクロマート）レンズを有し、前記レンズの品種情報と焦点距離情報と口径比情報とを取得する手段と、前記レンズの焦点距離と口径比とに対応した円周方向変調度情報と放射線方向変調度情報とを取得し記憶する手段（ＣＰＵ６とＣＰＵ６内蔵または外付けの記憶部）と、前記取得したレンズ品種情報と焦点距離情報と口径比情報と前記記憶した円周方向変調度情報と放射線方向変調度とから、（レンズの非点収差による円周方向変調度と放射線方向変調度に対応して）前記作成した輪郭（変調度）補正制御の関係情報と垂直同期信号と水平同期信号と画素クロック（による走査線と水平画素カウンタからの走査線番号と水平画素番号）から、映像信号に対応する画素の画面中心からの距離（走査線数をＶとし水平画素番号をｖとしてｖ−Ｖ／２と水平画素数をＨとし水平画素番号をｈとしてｈ−Ｈ／２）に比例と画素の画面中心からの距離の２乗に比例と画素の画面中心からの距離の４乗に比例と画素の画面中心からの距離の６乗に比例と画素の画面中心からの距離の８乗に比例等の画面位置に対応して右上斜め輪郭（変調度）補正量と左上斜め輪郭（変調度）補正量を斜め周波数ごとに個別に算出する手段（走査線と水平画素カウンタ含む画面位置制御部）と、水平同期信号と画素クロックとから映像信号の画面位置のタイミングを検出する手段（走査線と水平画素カウンタ含む画面位置制御部）とを有し、前記生成した画面位置と輪郭（変調度）補正制御の関係情報と前記検出した映像信号の画面位置のタイミングとから右上斜め輪郭（変調度）補正量と左上斜め輪郭（変調度）補正量を斜め周波数ごとに個別に行う手段（図１Ｄのフレームメモリ並びにＣＰＵ並びに走査線と水平画素カウンタ含む画面位置制御部並びに減算器（負の加算器）のＮ０〜Ｎ３及びＮ５〜Ｎ８及びＮ１０〜Ｎ１３及びＮ１５〜Ｎ１８及び加算器のＰ４及びＰ１４）とを有することを特徴とする撮像装置である。【００１４】
または、上記課題を達成するため本発明では、レンズを用いるワイドアスペクトの撮像装置において、多周波数強調の水平輪郭補正と垂直輪郭補正または多周波数強調の水平アパーチャ（変調度）補正と垂直アパーチャ（変調度）補正を用い、前記レンズの品種情報と焦点距離情報と口径比情報とを取得し、前記レンズの円周方向変調度情報と放射線方向変調度とを取得し記憶し、前記取得したレンズ品種情報と焦点距離情報と口径比情報と前記記憶した円周方向変調度情報と放射線方向変調度とから、（レンズの非点収差による円周方向変調度と放射線方向変調度に対応して）画素の画面中心からの距離に比例と画素の画面中心からの距離の２乗に比例と画素の画面中心からの画素の画面中心からの距離の４乗に比例と画素の画面中心からの距離の６乗に比例と画素の画面中心からの距離の８乗に比例等の画面位置に対応して垂直輪郭（変調度）補正量と水平輪郭（変調度）補正量とを個別に周波数ごとに算出し、垂直輪郭（変調度）補正と水平輪郭（変調度）補正を個別に行うことを特徴とする撮像方法である。【００１５】
または、上記課題を達成するため本発明では、３つの波長で色収差が補正され２つの波長で球面収差・コマ収差が補正されているレンズを用いる（ワイドアスペクトの）撮像装置において、多周波数強調の水平輪郭補正と垂直輪郭補正または多周波数強調の水平アパーチャ（変調度）補正と垂直アパーチャ（変調度）補正を用い、前記レンズの品種情報と焦点距離情報と口径比情報とを取得し、前記レンズの円周方向変調度情報と放射線方向変調度とを取得し記憶し、前記取得したレンズ品種情報と焦点距離情報と口径比情報と前記記憶した円周方向変調度情報と放射線方向変調度とから、レンズの非点収差による円周方向変調度と放射線方向変調度に対応して比例と画素の画面中心からの距離の２乗に比例と画素の画面中心からの４乗に比例と画素の画面中心からの距離の６乗に比例と画素の画面中心からの距離の８乗に比例等の画面位置に対応して垂直輪郭（変調度）補正量と水平輪郭（変調度）補正量とを個別に周波数ごとに算出し、垂直輪郭（変調度）補正と水平輪郭（変調度）補正を個別に行うことを特徴とする撮像方法である。また、本発明は、ＶＤＴＬの中心周波数とＨＤＴＬの中心周波数を画面左右位置で個別に可変する撮像装置とするものである。
【発明の効果】
【００１６】
本発明の固体撮像装置では、視野の広さの2乗に比例の非点収差は補正不足で、円周方向変調度と放射線方向変調度が著しく異なる普及価格のレンズの変調度を補正し、オーバーシュートやアンダーシュートを押さえた輪郭補正を実施した映像信号を出力可能となる。
そのため、普及価格の４Ｋや８Ｋのレンズを含むカメラ（ＵＨＤＴＶ）を製品化することが容易になる。
【図面の簡単な説明】
【００１７】
【図１Ａ】本発明の１実施例の多走査線（Ｈ）垂直輪郭補正回路の詳細ブロック図（レンズ品種情報と焦点距離情報と口径比情報等のレンズ情報から、画面位置と輪郭補正制御の関係情報 (水平画素番号と輪郭補正の周波数補正量)を作成する手段（ＣＰＵ６）と、前記作成した輪郭補正制御の関係情報と水平同期信号と画素クロック（による水平画素カウンタからの水平画素番号）から、映像信号に対応する画素の画面中心からの距離（水平画素数をＨとし水平画素番号をｈとしてｈ−Ｈ／２）に比例と画素の画面中心からの距離の２乗に比例と画素の画面中心からの４乗に比例と画素の画面中心からの距離の６乗に比例と画素の画面中心からの距離の８乗に比例とで水平輪郭（変調度）の周波数（0ｄから7ｄの輪郭）補正量と垂直輪郭（変調度）の周波数（0Ｈから7Ｈの輪郭）補正量とを個別に算出する手段（水平画素カウンタ含む画面位置制御部５）とを有する。）
【図１Ｂ】本発明の１実施例の多画素水平輪郭補正回路の詳細ブロック図
【図１Ｃ】本発明の１実施例の多走査線（Ｈ）垂直輪郭補正回路路の詳細ブロック図（フレームメモリからの読出し信号の加減算で輪郭補正信号を生成する）
【図１Ｄ】本発明の１実施例の多画素水平輪郭補正回路の詳細ブロック図（フレームメモリからの読出し信号の加減算で輪郭補正信号を生成する）
【図２Ａ】本発明の１実施例の多走査線（Ｈ）垂直輪郭補正信号または多画素水平輪郭補正信号の発生を示す模式図（確認用）（(ａ)垂直輪郭補正前信号(ｂ)垂直輪郭９H（水平輪郭９画素）成分補正信号(ｃ)垂直輪郭７H（水平輪郭７画素）成分補正信号(ｄ)垂直輪郭５H（水平輪郭５画素）成分補正信号(ｅ)垂直輪郭補正信号３H（水平輪郭３画素）成分補正信号(ｆ)垂直輪郭９H７H５H３H（水平輪郭９画素７画素５画素３画素）補正後信号(ｇ)垂直輪郭７H５H３H（水平輪郭７画素５画素３画素）補正後信号(ｈ)垂直輪郭５H３H（水平輪郭７画素５画素３画素）補正後信号(ｉ)垂直輪郭３H（水平輪郭３画素）補正後信号）
【図２Ｂ】本発明の１実施例の多走査線（Ｈ）垂直輪郭補正信号または多画素水平輪郭補正信号の発生を示す模式図（計測用）（(ａ)垂直輪郭補正前信号(ｂ)垂直輪郭９H（水平輪郭９画素）成分補正信号(ｃ)垂直輪郭７H（水平輪郭７画素）成分補正信号(ｄ)垂直輪郭５H（水平輪郭５画素）成分補正信号(ｅ)垂直輪郭補正信号３H（水平輪郭３画素）成分補正信号(ｆ)垂直輪郭９H７H５H３H（水平輪郭９画素７画素５画素３画素）補正後信号(ｇ)垂直輪郭７H５H３H（水平輪郭７画素５画素３画素）補正後信号(ｈ)垂直輪郭５H３H（水平輪郭７画素５画素３画素）補正後信号(ｉ)垂直輪郭３H（水平輪郭３画素）補正後信号）
【図３】従来技術の可視光の輪郭補正信号発生回路の詳細ブロック図（(ａ)水平垂直輪郭補正信号発生回路(ｂ)水平垂直輪郭補正信号発生回路）
【図４】本発明の１実施例の撮像装置の全体構成を示すブロック図
【図５】従来技術の撮像装置の全体構成を示すブロック図
【図６】球面収差とコマ収差を十分補正し、非点収差が補正不足なレンズの変調度の変化の模式図 （(a)ズームレンズ広角端の1例Tamron16-300mm、左右端のみ水平変調度補正が必要(b)ズームレンズ望遠端の1例Tamron16-300mm、左右距離に従い垂直変調度補正が必要(ｃ)中望遠レンズの1例Nikkor 85mmF1.8  左右端のみ垂直変調度補正が必要(ｄ)標準レンズ望遠端の1例Nikkor DX35mmF1.8  左右距離に従い水平変調度補正と垂直変調度補正と個別に補正が必要）
【図７】球面収差とコマ収差を十分補正し、非点収差が補正不足なレンズの変調度の補正の模式図（画面内均一と画面中心からの距離（ｈ−Ｈ／２）に比例と距離の２乗とに比例と距離の４乗に比例と距離の６乗に比例と距離の８乗に比例とで水平変調度補正と垂直変調度補正と個別に変調度の周波数ごとの補正量を算出） （(a)ズームレンズ広角端の1例Tamron16-300mm (b)ズームレンズ望遠端の1例Tamron16-300mm (ｃ)中望遠レンズの1例Nikkor 85mmF1.8 (ｄ)標準レンズ望遠端の1例Nikkor DX35mmF1.8  ）
【図８】画面位置と水平輪郭（変調度）補正と垂直輪郭（変調度）補正の模式図 （(a)0次：画面内均一の補正成分例、(b)中心からの距離に比例、(ｃ)中心からの距離の2乗に比例、(ｄ)中心からの距離の４乗に比例、(e)中心からの距離の６乗に比例、(f)中心からの距離の８乗に比例、(g)中心からの距離の１０乗に比例  ）
【発明を実施するための形態】
【００１８】
本発明は、１６：９や２：１等のワイドアスペクトの１Ｋ、２Ｋ、４Ｋ、８Ｋ等のＨＤ以上テレビカメラ等の高解像度撮像装置において、多周波数強調の水平輪郭補正と垂直輪郭補正または多周波数強調の水平アパーチャ（変調度）補正と垂直アパーチャ（変調度）補正を有し、前記レンズの品種情報と焦点距離情報と口径比情報とを取得する手段と、前記レンズの焦点距離と口径比とに対応した円周方向変調度情報と放射線方向変調度情報とを取得し記憶する手段（ＣＰＵ６とＣＰＵ６内蔵または外付けの記憶部）と、前記取得したレンズ品種情報と焦点距離情報と口径比情報と前記記憶した円周方向変調度情報と放射線方向変調度とから、（レンズの非点収差による円周方向変調度と放射線方向変調度に対応して）前記作成した輪郭（変調度）補正制御の関係情報と水平同期信号と画素クロック（による水平画素カウンタからの水平画素番号）から、映像信号に対応する画素の画面中心からの距離（水平画素数をＨとし水平画素番号をｈとしてｈ−Ｈ／２）に比例と画素の画面中心からの距離の２乗に比例と画素の画面中心からの距離の４乗に比例と画素の画面中心からの距離の６乗に比例と画素の画面中心からの距離の８乗に比例等の画面位置に対応して垂直輪郭（変調度）補正量を垂直周波数（0Ｈから7Ｈの輪郭）ごとと水平輪郭（変調度）補正量を水平周波数（0ｄから7ｄの輪郭）ごとに個別に算出する手段（水平画素カウンタ含む画面位置制御部５）と、水平同期信号と画素クロックとから映像信号の画面位置のタイミングを検出する手段（水平画素カウンタ含む画面位置制御部）とを有し、前記生成した画面位置と輪郭（変調度）補正制御の関係情報と前記検出した映像信号の画面位置のタイミングとから垂直輪郭（変調度）補正を垂直周波数（0Ｈから7Ｈの輪郭）ごとと水平輪郭（変調度）補正を水平周波数（0ｄから7ｄの輪郭）ごととに個別に行う手段（負の掛け算器のＮ０〜Ｎ３，Ｎ５〜Ｎ８，Ｎ１０〜Ｎ１３，Ｎ１５〜Ｎ１８と正の掛け算器のＰ０〜８，Ｐ１０〜１８）と、前記レンズがズームレンズの広角では左右端付近を中心に水平輪郭（変調度）補正周波数の中心を低くする手段と、前記レンズがズームレンズの望遠では画面中心から左右に離れるに従い垂直輪郭（変調度）補正周波数の中心を低くする手段と、前記レンズが単焦点レンズやズームレンズの中間焦点距離では単焦点レンズやズームレンズの中間焦点距離の非点収差による円周方向変調度と放射線方向変調度に対応して画面中心から左右に離れるに従い、垂直輪郭（変調度）補正周波数の中心又は水平輪郭（変調度）強調周波数の中心のどちらか一方を低く手段と、前記レンズの円周方向変調度と放射線方向変調度に対応して画面中心から左右に離れるに従い、垂直輪郭（変調度）補正周波数の中心と水平輪郭（変調度）補正周波数の中心を異ならせる手段と、の少なくとも一つを有することを特徴とする撮像装置である。
【実施例１】
【００１９】
本発明の１実施例の多走査線（Ｈ）垂直輪郭補正回路の詳細ブロック図の図１Ａと図１Ｂと図１Ｃとでは、レンズ品種情報と焦点距離情報と口径比情報等のレンズ情報から、前記レンズの円周方向変調度と放射線方向変調度に対応して画面位置と輪郭補正制御の関係情報 (水平画素番号と輪郭補正の周波数補正量)を作成する手段（ＣＰＵ６）と、前記作成した輪郭補正制御の関係情報と水平同期信号と画素クロック（による水平画素カウンタからの水平画素番号）から、映像信号に対応する画素の画面中心からの距離（水平画素数をＨとし水平画素番号をｈとしてｈ−Ｈ／２）に比例と画素の画面中心からの距離の２乗に比例と画素の画面中心からの４乗に比例と画素の画面中心からの距離の６乗に比例と画素の画面中心からの距離の８乗に比例とで水平輪郭（変調度）の周波数（0ｄから7ｄの輪郭）補正量と垂直輪郭（変調度）の周波数（0Ｈから7Ｈの輪郭）補正量とを個別に算出する手段（水平画素カウンタ含む画面位置制御部５）と垂直輪郭（変調度）補正を垂直周波数（0Ｈから7Ｈの輪郭）ごとと水平輪郭（変調度）補正を水平周波数（0ｄから7ｄの輪郭）ごとに個別に行う手段（負の掛け算器のＮ０〜Ｎ３，Ｎ５〜Ｎ８，Ｎ１０〜Ｎ１３，Ｎ１５〜Ｎ１８と正の掛け算器のＰ０〜８，Ｐ１０〜１８）とを含む。
そして、実施例１では、球面収差とコマ収差を十分補正し、非点収差が補正不足なレンズの変調度の変化の模式図の図６と球面収差とコマ収差を十分補正し、非点収差が補正不足なレンズの変調度の補正の模式図（画面中心からの距離（ｈ−Ｈ／２）の２乗と４乗と６乗と８乗とで変調度補正量を近似、変調度補正量を補正中心周波数の低下量で近似）の図７との、 (a)ズームレンズ広角端の1例Tamron16-300mm、左右端のみ水平変調度補正が必要と、 (ｃ)中望遠レンズの1例Nikkor 85mmF1.8  左右端のみ垂直変調度補正が必要と、画面位置と水平輪郭（変調度）補正と垂直輪郭（変調度）補正の模式図の図８の (a)0次：画面内均一の補正成分例、(b)中心からの距離に比例、(ｃ)中心からの距離の2乗に比例、(ｄ)中心からの距離の４乗に比例、(e)中心からの距離の６乗に比例、(f)中心からの距離の８乗に比例、を用いて説明する。【００２０】
また、本発明の１実施例の撮像装置の全体構成の全体構成を示すブロック図の図４と、本発明の１実施例の多走査線（Ｈ）垂直輪郭補正回路の詳細ブロック図の図１Ａと、本発明の１実施例の多画素水平輪郭補正回路の詳細ブロック図の図１Ｂと、本発明の１実施例の多走査線（Ｈ）垂直色平均回路の詳細ブロック図の図１Ｃと、本発明の１実施例の多画素水平色平均回路の詳細ブロック図の図１Ｄと、本発明の１実施例の多走査線（Ｈ）垂直輪郭補正信号または多画素水平輪郭補正信号の発生を示す模式図（確認用）の図２Ａと、本発明の１実施例の多走査線（Ｈ）垂直輪郭補正信号または多画素水平輪郭補正信号の発生を示す模式図（計測用）の図２Ｂを用いて本発明の１実施例を説明する。【００２１】
本発明の１実施例の撮像装置の全体構成の全体構成を示すブロック図の図４と従来技術の赤外線監視システムの全体構成を示すブロック図５との相異は、映像処理部４に垂直輪郭補正中心周波数水平輪郭補正中心周波数個別可変機能付信号処理部とを含むかどうかである。
本発明の１実施例の多走査線（Ｈ）垂直輪郭補正回路の詳細ブロック図の図１Ａと本発明の１実施例の多画素水平輪郭補正回路の詳細ブロック図の図１Ｂと、従来技術の可視光の垂直輪郭補正信号発生回路の詳細ブロック図の図３との相異は、ラインメモリの個数と乗算器の個数と加算器の個数だけでなく、レンズ品種情報と焦点距離情報と口径比情報等のレンズ情報から、前記レンズの円周方向変調度と放射線方向変調度に対応して画面位置と輪郭補正制御の関係情報 (水平画素番号と輪郭補正の周波数補正量)を作成する手段（ＣＰＵ６）と、前記作成した輪郭補正制御の関係情報と水平同期信号と画素クロック（による水平画素カウンタからの水平画素番号）から、映像信号に対応する画素の画面中心からの距離（水平画素数をＨとし水平画素番号をｈとしてｈ−Ｈ／２）に比例と画素の画面中心からの距離の２乗に比例と画素の画面中心からの４乗に比例と画素の画面中心からの距離の６乗に比例と画素の画面中心からの距離の８乗に比例とで水平輪郭（変調度）の周波数（0ｄから7ｄの輪郭）補正量と垂直輪郭（変調度）の周波数（0Ｈから7Ｈの輪郭）補正量とを個別に算出する手段（水平画素カウンタ含む画面位置制御部５）と垂直輪郭（変調度）補正を垂直周波数（0Ｈから7Ｈの輪郭）ごとと水平輪郭（変調度）補正を水平周波数（0ｄから7ｄの輪郭）ごととに個別に行う手段（負の掛け算器のＮ０〜Ｎ３，Ｎ５〜Ｎ８，Ｎ１０〜Ｎ１３，Ｎ１５〜Ｎ１８と正の掛け算器のＰ０〜８，Ｐ１０〜１８）とを含むことである。【００２２】
本発明の１実施例の赤外線監視システムの全体構成を示すブロック図の図４において、１：レンズ、２，７：撮像部、３，７：撮像装置、４：垂直輪郭補正中心周波数水平輪郭補正中心周波数個別可変機能付信号処理部、５：画面位置制御部、６：ＣＰＵ、８：輪郭強調可変機能付信号処理部である。【００２３】
本発明の１実施例の多走査線（Ｈ）垂直輪郭補正回路の詳細ブロック図の図１Ａと、本発明の１実施例の多画素水平輪郭補正回路の詳細ブロック図の図１Ｂと、本発明の１実施例の多走査線（Ｈ）垂直色平均回路の詳細ブロック図の図１Ｃと、本発明の１実施例の多画素水平色平均回路の詳細ブロック図の図１Ｄにおいて、２０〜２６，４０〜４６：加算器、２７，４７：映像レベル判定器、５０：ＣＰＵ、３１，５１：小振幅大振幅圧縮器、２９，４９，３２，５２：掛け算器、Ｍ１〜Ｍ７：ラインメモリ部、Ｄ１〜Ｄ７：画素遅延部、Ｎ０〜Ｎ７，Ｎ１０〜Ｎ１７：負の掛け算器、Ｐ０〜８，Ｐ１０〜１８：正の掛け算器、である。【００２４】
本発明の１実施例の多走査線（Ｈ）垂直輪郭補正信号または多画素水平輪郭補正信号の発生を示す模式図（確認用）の図２Ａと本発明の１実施例の多走査線（Ｈ）垂直輪郭補正信号または多画素水平輪郭補正信号の発生を示す模式図（計測用）の図２Ｂにおいて、(ａ)は垂直輪郭補正前信号、(ｂ)は垂直輪郭９H（水平輪郭９画素）成分補正信号、(ｃ)は垂直輪郭７H（水平輪郭７画素）成分補正信号、(ｄ)は垂直輪郭５H（水平輪郭５画素）成分補正信号、(ｅ)は垂直輪郭補正信号３H（水平輪郭３画素）成分補正信号、(ｆ)は垂直輪郭９H７H５H３H（水平輪郭９画素７画素５画素３画素）補正後信号、(ｇ)は垂直輪郭７H５H３H（水平輪郭７画素５画素３画素）補正後信号、(ｈ)は垂直輪郭５H３H（水平輪郭７画素５画素３画素）補正後信号、(ｉ)は垂直輪郭３H（水平輪郭３画素）補正後信号である。【００２５】
つまり、本発明では、(ｂ)の垂直輪郭９H（水平輪郭９画素）成分補正信号、(ｃ)の垂直輪郭７H（水平輪郭７画素）成分補正信号、(ｄ)の垂直輪郭５H（水平輪郭５画素）成分補正信号、(ｅ)の垂直輪郭補正信号３H（水平輪郭３画素）成分補正信号とを加算することにより、(ｆ)の垂直輪郭９H７H５H３H（水平輪郭９画素７画素５画素３画素）補正後信号は垂直輪郭と水平輪郭が再生され、オーバーシュートやアンダーシュートがほとんどなく、円周方向変調度と放射線方向変調度と個別に低下しても、個別に輪郭補正することができる。それに対し、(i)は従来の可視光用垂直輪郭補正を適用した垂直輪郭３Ｈ補正後信号であり、オーバーシュートやアンダーシュートによる垂直輪郭の前後に偽の負の垂直輪郭が発生し、円周方向変調度と放射線方向変調度と個別に変調度が低下すると個別に輪郭補正が困難になる。【００２６】
したがって、変調度の変化の模式図の図６Ｂの様に、レンズの変調度が低下しても、画面位置と水平輪郭（変調度）補正と垂直輪郭（変調度）補正の模式図の図８の様に画面中心からの距離（ｈ−Ｈ／２）に比例と画面中心からの距離の２乗に比例と４乗に比例と６乗に比例と８乗に比例とを合成して、水平輪郭（変調度）の周波数（0ｄから7ｄの輪郭）補正量と垂直輪郭（変調度）の周波数（0Ｈから7Ｈの輪郭）補正量とを個別に算出する。その結果、球面収差とコマ収差を十分補正し非点収差が補正不足なレンズが、変調度の補正の模式図の図７の様に、円周方向変調度と放射線方向変調度と個別に低下しても、個別に補正することができる。【００２７】
したがって、本発明の１実施例の多Ｈ垂直輪郭補正と多遅延水平輪郭補正とレンズ品種情報と焦点距離情報と口径比情報等のレンズ情報から、前記レンズの円周方向変調度と放射線方向変調度に対応して画面位置と輪郭補正制御の関係情報 (水平画素番号と輪郭補正の周波数補正量)を作成する手段（ＣＰＵ６）と、前記作成した輪郭補正制御の関係情報と水平同期信号と画素クロック（による水平画素カウンタからの水平画素番号）から、映像信号に対応する画素の画面中心からの距離（水平画素数をＨとし水平画素番号をｈとしてｈ−Ｈ／２）の２乗に比例と４乗に比例と６乗に比例と８乗に比例とで水平輪郭（変調度）の周波数（0ｄから7ｄの輪郭）補正量と垂直輪郭（変調度）の周波数（0Ｈから7Ｈの輪郭）補正量とを個別に算出する手段（水平画素カウンタ含む画面位置制御部５）と垂直輪郭（変調度）補正を垂直周波数（0Ｈから7Ｈの輪郭）ごとと水平輪郭（変調度）補正を水平周波数（0ｄから7ｄの輪郭）ごととに個別に行う手段（負の掛け算器のＮ０〜Ｎ３，Ｎ５〜Ｎ８，Ｎ１０〜Ｎ１３，Ｎ１５〜Ｎ１８と正の掛け算器のＰ０〜８，Ｐ１０〜１８）とにより、撮像装置から、オーバーシュートやアンダーシュートを押さえた水平輪郭（変調度）補正と垂直輪郭（変調度）補正を個別に補正した映像信号を出力可能となる。【００２８】
本発明は、本発明の１実施例の輪郭補正回路の詳細ブロック図の図１Ａから図１Ｄの減算器やラインメモリ部や画素遅延部の個数は７ヶに限定せず、回路規模が許容されるなら、より多い自然数でも構わない。
加算器やラインメモリ部や画素遅延部の個数が７ヶ以上でない場合は輪郭補正が対称となるように、加算器やラインメモリ部や画素遅延部の個数は偶数が好ましい。
つまり、水平輪郭（変調度）補正と垂直輪郭（変調度）補との個別補正を簡易で済ませる場合は、フレームメモリから読み出す個数は４ケや6ケが好ましい。【００２９】
本発明の固体撮像装置では、3つの波長で色収差が補正され、2つの波長で球面収差・コマ収差が補正されているアッベが命名したアポクロマートレンズ（普及価格のレンズ）に残存する非点収差で、円周方向変調度と放射線方向変調度が著しく異なる映像信号しか撮像素子から出力されなくても、オーバーシュートやアンダーシュートを押さえた輪郭補正を実施した映像信号を出力可能となる。
【実施例２】
【００３０】
実施例２は、実施例１との相違のみ説明する。
実施例２では、球面収差とコマ収差を十分補正し、非点収差が補正不足なレンズの変調度の変化の模式図の図６と、球面収差とコマ収差を十分補正し非点収差が補正不足なレンズの変調度の補正の模式図（画面中心からの距離（ｈ−Ｈ／２）の２乗と４乗と６乗と８乗とで変調度補正量を近似、変調度補正量を補正中心周波数の低下量で近似）の図７との、(b)ズームレンズ望遠端の1例Tamron16-300mm、左右距離に従い垂直変調度補正が必要と、(ｄ)標準レンズ望遠端の1例Nikkor DX35mmF1.8  左右距離に従い水平変調度補正と垂直変調度補正と個別に補正が必要とを用いて説明する。【００３１】
球面収差とコマ収差を十分補正し非点収差が補正不足なレンズの変調度の補正の模式図の図７の(b)では、画面中心からの距離に比例で垂直変調度の補正を算出すれば、近似できる。また、水平変調度の補正は不要である。【００３２】
図７の(ｄ)では、画面中心からの距離の２乗に比例で垂直変調度の補正を算出すれば、水平変調度の補正が近似できる。
【実施例３】
【００３３】
（非点収差の補正のフレームメモリ実施例）   実施例３では、実施例１と実施例２との相違点のみ説明する。
実施例１と実施例２の図１Ａと図１Ｂでは、画素遅延とラインメモリを用いた、映像信号の実時間処理で説明したが、本発明の１実施例の多走査線（Ｈ）垂直輪郭補正回路路の詳細ブロック図の図１Ｃと本発明の１実施例の多画素水平輪郭補正回路の詳細ブロック図の図１Ｄのように、フレームメモリからの読出し信号の加減算で輪郭補正信号を生成する。
フレームメモリのDouble-Data-Rate SDRAM（ＤＤＲと略す）と信号処理のField-Programmable Gate Array（ＦＰＧＡと略す）とが高速なら、加算と減算は単一回路のシリアル動作も可能となる。
つまり本発明では、図１Ｃと図１Ｄのようにデジタルズームや走査線数変換等の映像信号を記憶させたフレームメモリから読み出した映像信号の処理でもよい。【００３４】
また、４：３や３：２等の正方形に近いアスペクトの１Ｋ、２Ｋ、４Ｋ、８Ｋ等のＨＤ以上テレビカメラ等の高解像度撮像装置において、図１Ｄの右上斜め輪郭補正と左上斜め輪郭補正または右上斜めアパーチャ（変調度）補正と左上斜めアパーチャ（変調度）補正を有し、３つの波長で色収差が補正され２つの波長で球面収差・コマ収差が補正されている（アッベが命名したアポクロマート）レンズを有し、前記レンズの品種情報と焦点距離情報と口径比情報とを取得する手段と、前記レンズの焦点距離と口径比とに対応した円周方向変調度情報と放射線方向変調度情報とを取得し記憶する手段（ＣＰＵ６とＣＰＵ６内蔵または外付けの記憶部）と、前記取得したレンズ品種情報と焦点距離情報と口径比情報と前記記憶した円周方向変調度情報と放射線方向変調度とから、（レンズの非点収差による円周方向変調度と放射線方向変調度に対応して）前記作成した輪郭（変調度）補正制御の関係情報と垂直同期信号と水平同期信号と画素クロック（による走査線と水平画素カウンタからの走査線番号と水平画素番号）から、映像信号に対応する画素の画面中心からの距離（走査線数をＶとし水平画素番号をｖとしてｖ−Ｖ／２と水平画素数をＨとし水平画素番号をｈとしてｈ−Ｈ／２）に比例と画素の画面中心からの距離の２乗に比例と画素の画面中心からの距離の４乗に比例と画素の画面中心からの距離の６乗に比例と画素の画面中心からの距離の８乗に比例等の画面位置に対応して右上斜め輪郭（変調度）補正量と左上斜め輪郭（変調度）補正量を斜め周波数ごとに個別に算出する手段（走査線と水平画素カウンタ含む画面位置制御部）と、水平同期信号と画素クロックとから映像信号の画面位置のタイミングを検出する手段（走査線と水平画素カウンタ含む画面位置制御部）とを有し、前記生成した画面位置と輪郭（変調度）補正制御の関係情報と前記検出した映像信号の画面位置のタイミングとから右上斜め輪郭（変調度）補正量と左上斜め輪郭（変調度）補正量を斜め周波数ごとに個別に行う手段（図１Ｄのフレームメモリ並びにＣＰＵ並びに走査線と水平画素カウンタ含む画面位置制御部並びに減算器（負の加算器）のＮ０〜Ｎ３及びＮ５〜Ｎ８及びＮ１０〜Ｎ１３及びＮ１５〜Ｎ１８及び加算器のＰ４及びＰ１４）と、の少なくとも一つを有することを特徴とする撮像装置である。
【産業上の利用可能性】
【００３５】
3つの波長で色収差が補正され、2つの波長で球面収差・コマ収差が補正されているアッベが命名したアポクロマートレンズ（円周方向変調度と放射線方向変調度が著しく異なる普及価格のレンズ）に残存する非点収差の補正するために、１６：９等と横長アスペクト比のＵＨＤＴＶで、画面中心からの距離（ｈ−Ｈ／２）に比例と２乗に比例と４乗に比例と６乗に比例と８乗に比例とで変調度補正量を算出し、水平輪郭（変調度）の周波数（0ｄから7ｄの輪郭）補正量と垂直輪郭（変調度）の周波数（0Ｈから7Ｈの輪郭）補正量とを、水平画素カウンタ含む画面位置制御部５で算出して、画面左右位置で水平輪郭（変調度）と垂直輪郭（変調度）とを個別に可変する。【００３６】
その結果、円周方向変調度と放射線方向変調度が著しく異なる普及価格のレンズの変調度を補正する撮像装置を実現し、普及価格のＵＨＤＴＶを製品化することが可能となる。
この出願は２０１４年８月２９日に出願された日本出願特願２０１４−１７５７１０を基礎として優先権の利益を主張するものであり、その開示の全てを引用によってここに取り込む。
【符号の説明】
【００３７】
１：レンズ、２，７：撮像部、３，７：撮像装置、４：垂直輪郭補正中心周波数水平輪郭補正中心周波数個別可変機能付信号処理部、５：水平画素カウンタ含む画面位置制御部、６：ＣＰＵ、８：輪郭強調可変機能付信号処理部２０〜２７，４０〜４７：加算器、２８，４８：映像レベル判定器、３１，５１：小振幅大振幅圧縮器、２９，４９，３２，５２：掛け算器、Ｍ０〜Ｍ７：ラインメモリ部、Ｍ８：フレームメモリ部、Ｄ０〜Ｄ７：画素遅延部、Ｎ０〜Ｎ３，Ｎ５〜Ｎ８，Ｎ１０〜Ｎ１３，Ｎ１５〜Ｎ１８：負の掛け算器、   Ｐ０〜８，Ｐ１０〜１８：正の掛け算器、  
【図１Ａ】
2016031763.tif 000003
【図１Ｂ】
2016031763.tif 000004
【図１Ｃ】
2016031763.tif 000005
【図１Ｄ】
2016031763.tif 000006
【図２Ａ】
2016031763.tif 000007
【図２Ｂ】
2016031763.tif 000008
【図３】
2016031763.tif 000009
【図４】
2016031763.tif 000010
【図５】
2016031763.tif 000011
【図６】
2016031763.tif 000012
【図７】
2016031763.tif 000013
【図８】
2016031763.tif 000014
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
レンズを用いるワイドアスペクトの撮像装置における画像処理方法であって以下の構成からなる、
多周波数強調の水平輪郭補正と垂直輪郭補正または多周波数強調の水平アパーチャ（変調度）補正と垂直アパーチャ（変調度）補正を行うこと、
前記レンズの品種情報と焦点距離情報と口径比情報とを取得すること、
前記レンズの円周方向変調度情報と放射線方向変調度とを取得し記憶すること、
表示する画面位置に対応して、前記のレンズ品種情報と焦点距離情報と口径比情報と、前記の円周方向変調度情報と放射線方向変調度に基づいて、画素の画面中心からの距離に比例した垂直輪郭（変調度）補正量と水平輪郭（変調度）補正量と、画素の画面中心からの距離の２乗に比例した垂直輪郭（変調度）補正量と水平輪郭（変調度）補正量と、画素の画面中心からの距離の４乗に比例した垂直輪郭（変調度）補正量と水平輪郭（変調度）補正量と、画素の画面中心からの距離の６乗に比例した垂直輪郭（変調度）補正量と水平輪郭（変調度）補正量と、画素の画面中心からの距離の８乗に比例した垂直輪郭（変調度）補正量と水平輪郭（変調度）補正量とを、個別に周波数ごとに算出し、垂直輪郭（変調度）補正と水平輪郭（変調度）補正を個別に行うこと。
【請求項２】
画像処理方法であって、以下の構成からなる、
(a)光学的に非点収差が残存した撮像光学系に接続された撮像部からの信号を入力すること、
(b)平面映像表示装置の少なくとも水平同期信号と画素クロックとから、前記の信号を前記の平面映像表示装置に表示する際の画面位置を特定すること、
(c)前記の撮像光学系で使用されるレンズの品種、焦点距離或いは口径比のいずれか一つ以上の情報を取得すること、
(d)前記レンズの円周方向変調度と放射線方向変調度とを取得すること、
(e)前記の平面映像表示装置の特定の画面位置に前記信号を出力する際に、前記レンズの品種、焦点距離或いは口径比のいずれか一つ以上の情報と、円周方向変調度と放射線方向変調度に基づいて、少なくとも一つの垂直周波数について、前記の平面映像表示装置の画面の中心の位置からの距離のｎ乗（ｎは１より大きい整数）に比例した垂直変調度の補正量を含んだ信号を出力すること、或いは、少なくとも一つの水平周波数について、前記の平面映像表示装置の画面の中心の位置からの距離のｎ乗（ｎは1より大きい整数）に比例した水平変調度の補正量を含んだ信号を出力すること。
【請求項３】
請求項２に従属する画像処理方法であって、
前記の非点収差が残存した撮像光学系は、３つの波長で色収差が補正され２つの波長で球面収差及びコマ収差が補正されているレンズを含むこと。
【請求項４】
請求項３に従属する画像処理方法であって、
前記の垂直変調度の補正量は、画面の中心の位置からの距離の１乗、２乗、４乗、６乗及び８乗に比例した補正量を合成した補正量とすること、或いは、前記の水平変調度の補正量は、画面の中心の位置からの距離の１乗、２乗、４乗、６乗及び８乗に比例した補正量を合成した補正量とすること。
【請求項５】
請求項４に従属する画像処理方法であって、
前記の垂直変調度の補正量は、画面の中心の位置からの距離の１乗、２乗、４乗、６乗及び８乗に比例した補正量を合成した補正量とすること、かつ、前記の水平変調度の補正量は、画面の中心の位置からの距離の１乗、２乗、４乗、６乗及び８乗に比例した補正量を合成した補正量とすること。
【請求項６】
請求項５に従属する画像処理方法であって、
前記レンズの品種、焦点距離或いは口径比のいずれか一つ以上の情報が、ズームレンズの広角を示す場合は、左右端付近を中心に水平輪郭（変調度）補正周波数の中心を低くした補正量とすること。
【請求項７】
請求項５に従属する画像処理方法であって、
前記レンズの品種、焦点距離或いは口径比のいずれか一つ以上の情報が、ズームレンズの望遠を示す場合は、画面中心から左右に離れるに従い垂直輪郭（変調度）補正周波数の中心を低くした補正量とすること。
【請求項８】
請求項５に従属する画像処理方法であって、
前記レンズの品種、焦点距離或いは口径比のいずれか一つ以上の情報が、単焦点レンズやズームレンズの中間焦点距離を示す場合は、画面中心から左右に離れるに従い、垂直輪郭（変調度）補正周波数の中心又は水平輪郭（変調度）補正周波数の中心のどちらか一方を低くした補正量とすること。
【請求項９】
請求項５に従属する画像処理方法であって、
前記レンズの品種、焦点距離或いは口径比のいずれか一つ以上の情報が、単焦点レンズやズームレンズの中間焦点距離を示す場合は、画面中心から左右に離れるに従い、垂直輪郭（変調度）補正周波数の中心と、水平輪郭（変調度）補正周波数の中心を異ならせた補正量とすること。
【国際調査報告】
2016031763.tif 000015
2016031763.tif 000016